(57)【要約】  本発明は、車両ドア用ラッチ装置に関し、このラッチ装置は、互いに反対側に展開している２つのサブアセンブリを画定するスプリングを有するラッチと、ラッチを解錠するために、スプリングと係合できる非直線縁部（１４、１６）を有するトラック（１２）を、それぞれの面（１０）に有するキー（６）とを備えている。各トラックは、キーの長手方向（Ｘ）と直角の方向（Ｚ）に測定して、一方の縁部から他方の縁部までに亘って、長手方向に一定の寸法（ｌ）を有する。【選択図】図４
2013520585.tif 000002
【特許請求の範囲】
【請求項１】
車両ドア用のロック装置（２）であって、
−互いに反対側に展開している２つのサブアセンブリを形成する分割ウエハ（２２）を有するロック（２）と、
−ロックを解錠するために、分割ウエハと係合できる非直線縁部（１４、１６）を有する溝（１２）を、それぞれの面に有するキー（６）とを備え、
各溝は、前記キーの長手方向（Ｘ）と直交する方向（Ｚ）に測定して、一方の縁部から他方の縁部までが、前記長手方向に一定の寸法（ｌ）を有することを特徴とする装置。
【請求項２】
前記溝（１４、１６）は、互いに軸対称で同様のものであることを特徴とする請求項１に記載の装置。
【請求項３】
前記溝（１４、１６）は、互いに異なる形状を有することを特徴とする請求項１に記載の装置。
【請求項４】
一方のサブアセンブリの各分割ウエハは、他方のサブアセンブリの分割ウエハの反対側に展開していることを特徴とする請求項１〜３のいずれか１項に記載の装置。
【請求項５】
各サブアセンブリは、前記ロックのプラグのケーシングの異なるそれぞれの面から突き出ることができる分割ウエハ（２２）を備えていることを特徴とする請求項１〜４のいずれか１項に記載の装置。
【請求項６】
各分割ウエハ（２２）に関して、前記分割ウエハ専用の位置復元部材（２８）を備えていることを特徴とする請求項１〜５のいずれか１項に記載の装置。
【請求項７】
前記キー（６）は、上部直線縁部および下部直線縁部を有することを特徴とする請求項１〜６のいずれか１項に記載の装置。
【請求項８】
前記キーの面（１０）は、平面であることを特徴とする請求項１〜７のいずれか１項に記載の装置。
【請求項９】
車両ドア用ロック（２）であって、互いに反対側に展開している２つのサブアセンブリを形成する分割ウエハ（２２）を備えており、前記分割ウエハは、前記ロックを解錠するために、非直線縁部（１４、１６）を有する溝（１２）を、それぞれの面に有するキー（６）と係合することができ、各溝は、前記キーの長手方向（Ｘ）と直交する方向（Ｚ）に測定して、一方の縁部から他方の縁部までが、前記長手方向に一定の寸法（ｌ）を有することを特徴とするロック。
【請求項１０】
車両ドア用ロックのキー（６）であって、非直線縁部（１４、１６）を有する溝（１２）を両面（１０）に有し、各溝は、前記キーの長手方向（Ｘ）と直角の方向（Ｚ）に測定して、一方の縁部から他方の縁部までに亘り、前記長手方向に不変の寸法（ｌ）を有することを特徴とするキー。
【発明の詳細な説明】
【技術分野】
【０００１】
本発明は、車両ドアのロックに関する。
【背景技術】
【０００２】
ロックに関しては、車両ドアの解放制御を機械的にコード化する働きをするウエハ、またはプランジャを使用することが公知である。コード化は、例えば、プラグの中に特定のサイズの複数のウエハを連続して設けることによって行われる。これらのウエハに対応するキーは、機械加工された溝を有しており、キーをロックに挿入した時、プラグの外側に出ているウエハを引っ込めるようになっている。ウエハを引っ込めることにより、プラグの回転および解錠が可能になる。例えば、プラグの中に、ウエハを６〜８列設置し、各ウエハに、４つの異なる位置またはコードを与えることができる。従って、８列のウエハ、および４つのコードを想定すると、４×４×４×４×４×４×４×４＝６５，５３６の論理的組み合わせが得られる。技術上の制約を考慮すると、実際には、これらの組み合わせの約１５％だけを実行することができ、合計で１０，０００の組み合わせになる。具体的には、同じウエハ位置を４回より多く使用する組み合わせは、意図的に除かれている。さらに、２つの刻み目または空きを有するウエハを、１つ以下しか含まない組み合わせも、意図的に除かれている。
【０００３】
組み合わせの数を増やすためには、各ウエハが占有することができる位置数、またはウエハの数を増やす必要がある。占有する位置数を増やすには、キーの幅を広げる必要がある。ウエハの数を増やすと、キーの長さが延びることになる。
【０００４】
キーの長さが延びる欠点を回避し、かつウエハの数を増やすためには、ウエハを分割ウエハと置換すればよい。そのため、各ウエハの代わりに、キーの両側に、２つの独立した分割ウエハが設けられている。従って、その位置によってコード化する分割ウエハを、キーの各側において独立にコード化する２つの分割ウエハと置換している。従って、８つのウエハが占めているスペースに、１６の分割ウエハを配置することが可能であり、４16の論理組み合わせを得ることができる。ある種の技術上の制約と、キーを、０°と１８０°の位置でどのようにでも挿入できるようにしたいという要望を考慮すると、組み合わせの数は、約２０，０００に減少する。
【０００５】
このような構成においては、キーのそれぞれの溝において、例えば上縁部などの溝の一方の縁部は、プラグの左側にある分割ウエハの位置決めを確実にする一方で、例えば下縁部などの他方の縁部は、右側にある分割ウエハの位置決めを確実にする。溝の形状が複雑であると、一般に、キーの製造が難しくなり、製造コストが高くなる。
【先行技術文献】
【特許文献】
【０００６】
【特許文献１】仏国特許出願公開第２８８２０８１号明細書
【発明の概要】
【発明が解決しようとする課題】
【０００７】
本発明の１つの目的は、可能な組み合わせ数が多く、かつキーの製造が容易なロックを提供することである。
【課題を解決するための手段】
【０００８】
このため、本発明による、車両ドア用ロック装置は、
−互いに反対側に展開している２つのサブアセンブリを形成する分割ウエハを備えているロックと、
−ロックを解錠するために、分割ウエハと係合できる非直線縁部を有する溝で、かつ各溝が、キーの長手方向に直角の方向に測定して、一方の縁部から他方の縁部までが、長手方向に一定の寸法を有する溝を、それぞれの面に有するキーとを備えている。
【０００９】
出願人は、実際のところ、キーの前述の溝の寸法を一定として、ロックを作ることが完全に可能であることを観察して驚いた。寸法が一定であることにより、キーの製造が大幅に簡単になる。各溝は、例えばフライス工具を１回通過させることによって、作ることができる。さらに、製造が簡単になっても、セキュリティが危うくなることはない。より具体的には、分割ウエハの存在により、可能な組み合わせ数は、非常に多くなる。
【００１０】
一実施形態においては、溝は、互いに軸対称で同一である。
【００１１】
この実施形態は、キーの長手方向軸に対して対称な２つの位置のどちらにでも、キーを収容できるようにしている。従って、リバーシブルキーを提供しうる。この実施形態は、ウエハをコード化する突起が、キーを受容するようになっているロックのハウジングの２つの側において、軸対称で同一であるように、ウエハの位置を決めることによって実行することができる。分割ウエハを１６設ける場合、あり得る組み合わせ数は、約８，０００であり、これにより、高度のセキュリティが提供される。このタイプのロックは、解錠するためには、互いに独立に移動できる全ての分割ウエハの位置を合わせる必要があるので、こじ開けるのが困難である。
【００１２】
別の実施形態においては、溝は、互いに異なる形状を有している。
【００１３】
従って、この実施形態においては、前述の２つの位置の一方を念頭において、キーをロックに挿入しなければならないので、逆にできない。より具体的には、キーの各側面は、他の側面とは関係のないコードを使用している。分割ウエハが１６の場合には、こうして、一方の側面で８，０００のコードが得られ、他方の側面で、８，０００のコードが得られるので、合計で６４百万の組み合わせが得られる。これらの組み合わせは、２つの側面が互いに無関係であるので、追加の制約を課すことなく、全てを使用することができる。この実施形態では、キーを特定の位置に合わせる必要があるが、はるかに多い組み合わせ数と、同様なセキュリティレベルとが提供される。この場合もまた、分割ウエハのそれぞれを、独立に位置合わせする必要があるので、ロックをこじ開けるのは非常に困難である。
【００１４】
一方のサブアセンブリの各分割ウエハは、他方のサブアセンブリの分割ウエハの反対側に展開している。
【００１５】
従って、長さの短いキーおよびロックを提供することができる。
【００１６】
各サブアセンブリは、ロックのプラグのケーシングの異なるそれぞれの面から突き出すことができる、分割ウエハを備えていることが好ましい。
【００１７】
従って、ロックをこじ開けるのを難しくすることによって、セキュリティを改善している。
【００１８】
この装置は、各分割ウエハに対して、分割ウエハ専用の位置復元部材を備えていることが好ましい。
【００１９】
キーは、上直線縁部および下直線縁部を有するのが好ましい。
【００２０】
キーの面は、平面であるのが好ましい。
【００２１】
本発明は、車両ドア用ロックも提供するもので、このロックは、互いに反対側に展開している２つのサブアセンブリを形成する分割ウエハを備え、これらの分割ウエハは、ロックを解錠するために、非直線縁部を有する溝をそれぞれの面に有するキーと係合でき、各溝は、キーの長手方向に直角の方向に測定して、一方の縁部から他方の縁部までが、長手方向に一定の寸法を有する。
【００２２】
従って、ロックを、前述のタイプのキーを用いて解錠しうることは、分かると思う。
【００２３】
さらに、本発明は、車両ドア用ロックのためのキーを提供するもので、このキーは、非直線縁部を有する溝を両面に有し、各溝は、キーの長手方向と直角の方向に測定して、一方の縁部から他方の縁部までに亘って、長手方向に一定不変の寸法を有する。
【００２４】
本発明の他の特徴および利点は、添付の図面を参照して、限定しない例として提供する２つの実施形態についての以下の説明を読むことにより、明らかになると思う。
【図面の簡単な説明】
【００２５】
【図１】本発明によるロックの複数の部品およびキーの分解斜視図である。
【図２】同じ部品の組み立て状態における斜視図である。
【図３】図２のロックの、その長手方向軸に直角の面における部分断面図である。
【図４】図１のロックの、第１の実施形態のキーの２つの側面の高さを示す２つの図である。
【図５】第２の実施形態のキーを示す図４に類似する図である。
【発明を実施するための形態】
【００２６】
図１〜図３は、自動車のドアを施錠および解錠する装置に設けられるようになっているロータリ式シリンダ錠２を示している。このロックは、ロックを解錠するために、ロックを動かすことができるキー６を備える装置４の一部を形成している。キーは、全体が直角平行六面体の形状を有するインサート８を備えている。
【００２７】
以下では、直交座標系Ｘ、Ｙ、Ｚを使用するが、Ｘ方向は、インサート８およびロックの長手方向であり、ロックのケーシングに対するプラグの回転軸の方向でもある。Ｙ方向およびＺ方向は、Ｘ方向と直交している。Ｙ方向は、キーの厚さに沿って延びているのに対し、Ｚ方向は、その幅または高さに沿って延びている。インサート８は、Ｙ方向の厚さよりも、Ｚ方向の幅が大であり、それ自体が広いＺ方向の幅よりも、Ｘ方向に非常に長い。インサート８は、２つの主な平面１０を有し、これらの面は、反対方向を向いており、かつそれぞれがＹ方向に直交している。各平面１０は、この平面をインサートの前端１３から、他端の方向に向けて、長手方向であるＸ方向に形成した溝１２を有する。各溝１２は、対応する面に、一定の厚さで、Ｙ方向に切り込まれている。この溝は、互いに対向し、互いに向かい合って延びている２つの対向する縁部１４および１６によって、Ｚ方向が画定されている。これらの縁部は、非直線状である。
【００２８】
図１は、ロックのプラグ２０を示している。ロックは、従来型のケーシングも備えているが、図示していない。これに関連して、ロックの他の従来の特徴に関しては、例えば本出願人による特許文献１（ＦＲ２８８２０８１）などを参照されたい。
【００２９】
ロックは、可動性の分割ウエハ２２を備えており、これらの分割ウエハ２２は、それらを受容するために設けられている、プラグにおける各スロット２４に受容されている。分割ウエハ２２は、適切な形状を有する円周部によって画定される平面の全体形状を有する。分割ウエハ２２およびスロット２４は、ロックの長手方向の中央面の両側に、従って、特にプラグの回転軸３２、およびキー６を受容するのに役立つハウジング３４の両側に展開している２つのサブアセンブリ２６および２８に配置されている。従って、分割ウエハ２２は、各スロット２４に受容されて、ハウジング３４の両側に展開している。全ての分割ウエハは、互いに平行をなしている。
【００３０】
この例において、２つのサブアセンブリは、同じ数の分割ウエハ２２を有する。この場合、この数は８であり、ロックの合計で１６の分割ウエハがある。分割ウエハは、一方のサブアセンブリと他方のサブアセンブリとにおいて、互いに符合し、一致している。従って、一方のサブアセンブリの各分割ウエハは、他方のサブアセンブリの分割ウエハと一致し、２つの分割ウエハは、同一平面上にあり、互いに反対の位置にある。
【００３１】
各分割ウエハに関して、プラグ２０は、一方がプラグ２０のケーシングに当接しており、他方が分割ウエハの突起に当接しているばねによってここに形成されている、専用の復元手段３８を備えている。
【００３２】
各分割ウエハは、一定数の分割ウエハに関してはプラグの上部において、残りの分割ウエハに関してはプラグの下部において、ケーシングから外側に突き出すことができるように、ケーシングに対してＺ方向に移動可能に取り付けられている。この場合、左側サブアセンブリの一定数の、この場合には４である分割ウエハは、キーがない場合、プラグの上面から突き出すように、その復元部材によって上方に押されている。同じことは、右側サブアセンブリのこの場合は４である一定数の分割ウエハにも、当てはまる。これらの分割ウエハの全てについて、図１のケーシングの上に示してある。対照的に、左側サブアセンブリのこの場合は４である一定数の分割ウエハは、キーがない場合、プラグの下面から突き出すように、その復元手段によって下方に押されている。同じことは、右側サブアセンブリのこの場合は４である一定数の分割ウエハにも、当てはまる。これらの分割ウエハの全てについて、図１のケーシングの下に示している。
【００３３】
各分割ウエハは、ハウジング３４の中に、かつ反対側にある分割ウエハの方向に延びている内部突起４０を備えている。この突起は、キーがハウジングの中に挿入されると、キーの溝１２の１つと係合するようになっている。キーと溝は、各溝が１つのそれぞれ左側および右側のサブアセンブリに関係するようになっている。キーが挿入されると、縁部１４または１６の一方は、溝に関係しているサブアセンブリの突起４０と係合して、分割ウエハをプラグの面から突き出さない位置に置くまで、カム作用によって分割ウエハを移動させる。従って、分割ウエハは、引っ込んだ位置にある。キーがハウジング３４の受容位置に置かれている時、全ての分割ウエハは、この引っ込んだ位置にある。この場合、解錠プロセスを実施するために、プラグを、ケーシングに対して回転することができる。
【００３４】
分割ウエハのそれぞれは、他の全ての分割ウエハとは独立して、ケーシングに対して移動可能であることは分かると思う。さらに、溝１２と、２つのサブアセンブリの分割ウエハとの係合だけで、解錠することができる。
【００３５】
縁部１４および１６は、直線ではないが、各溝１２は、その幅ｌが、Ｘ方向の溝に沿って一定になるように設けられている。この幅は、Ｚ方向に測定したものである。これらの条件のもとに、２つの縁部１４および１６は、直線ではないが、Ｘ方向に互いに一緒に延びている。
【００３６】
次に、図４に示すキーの実施形態について、より正確に述べる。この実施形態においては、キーは、リバーシブルである。従って、このキーをハウジングの中に入れる時、軸３２に対応するキーの長手方向軸に対して、互いに対称な２つの位置のどちらかで解錠するように、キーを、ハウジング３４に挿入することができる。従って、ユーザは、これらの位置のどちらの位置にキーを挿入するかについて、心配する必要はない。２つの溝１２は、互いに同じであり、インサート８の対称軸に対して対称な位置を占めている。
【００３７】
２つのウエハサブアセンブリは、解錠位置において、対応関係にある各対の分割ウエハの突起４０が、互いに対して対称の位置を占有するように、構成されている。例えば、分割ウエハ全体を、他の分割ウエハと対称になるように設けることが可能である。その結果、一方のサブアセンブリの突起４０の位置は、他方のサブアセンブリの突起４０の位置を完全に決定する。
【００３８】
図５は、第２の実施形態を示している。前の実施形態との違いは、キーがリバーシブルでないことだけである。この場合、ユーザは、特定の位置を確実に順守して、キーをハウジング３４に挿入する必要がある。言い換えると、インサートの２つの面のうちの一方の面が、常にハウジングの面の一方に向かい合っていなければならない。言い換えると、解錠することができるハウジングにおけるキーの位置から、その軸の周りで半回転させた後にキーを再挿入しても、解錠することはできない。
【００３９】
この実施形態においては、各溝の幅ｌは、前と同様に、溝のＸ方向に一定である。しかし、この場合、２つの溝は、互いに異なる形状を有する。そのため、ウエハサブアセンブリの一方の構成は、他方の構成によって決定されることはない。一例として、分割ウエハが１６ある場合に、各分割ウエハがＺ方向に４つの異なる位置を有することができると仮定すると、６４百万の可能な組み合わせが得られる。
【００４０】
各実施形態において、同じサブアセンブリの４つの分割ウエハが、軸の上に展開し、他の４つが軸の下に展開する組み合わせだけは、維持されるのが好ましい。
【００４１】
これらの２つの実施形態のキーの製造は、特に簡単である。より具体的には、幅ｌが一定であるので、フライス工具を１回通すだけで、キーの対応する面に溝を設けることができる。
【００４２】
２つの実施形態によると、製造コストは減少し、あり得る組み合わせの数は、第１の実施形態より第２の実施形態の方が多いけれども、どちらの実施形態のロックも、高レベルのセキュリティを有する。
【００４３】
当然ながら、本発明の範囲から逸脱することなく、本発明に数々の変更を加えることができる。
【００４４】
分割ウエハ数が、１６より多いか、または少ない、例えば１２または２４などの数の分割ウエハを設けることができる。
【符号の説明】
【００４５】
２  ロータリ式シリンダ錠、ロック
４  装置
６  キー
８  インサート
１０  平面
１２  溝
１３  （インサートの）前端
１４、１６  縁部
２０  プラグ
２２  分割ウエハ
２４  スロット
２６、２８  サブアセンブリ
３２  （プラグの）回転軸
３４  ハウジング
３８  復元手段
４０  突起
ｌ  溝の幅
Ｘ、Ｙ、Ｚ  方向
【図１】
2013520585.tif 000003
【図２】
2013520585.tif 000004
【図３】
2013520585.tif 000005
【図４−５】
2013520585.tif 000006
【国際調査報告】
2013520585.tif 000007
2013520585.tif 000008
2013520585.tif 000009
2013520585.tif 000010
2013520585.tif 000011
2013520585.tif 000012